(57)【要約】【課題】  携帯電話機の機能を容易に拡張することができるよう供給元コンピュータより送信されたメニューデータから選択項目を容易に選択できる携帯電話機を提供する。【解決手段】  携帯電話機１が電話回線２を介して供給元コンピュータ３に接続し、供給元コンピュータ３からメニューデータが送信され、そのメニューデータを携帯電話機１で受信してメニューデータに基づき選択項目を表示部に表示し、表示部に表示されている選択項目を入力部の数字キーにより選択する携帯電話機である。【選択図】        図４
2004297815.tif 000002
【特許請求の範囲】
【請求項１】
供給元コンピュータから送信されるメニューデータを受信して表示する携帯電話機であって、
少なくとも数字キーを備える入力部と、データを表示する表示部とを有し、
前記供給元コンピュータから送信されるメニューデータを受信すると、該受信したメニューデータに基づき選択項目を前記表示部に表示し、該表示されている選択項目を前記入力部の数字キーにより選択することを特徴とする携帯電話機。
【発明の詳細な説明】
【技術分野】
【０００１】
本発明は、携帯電話機に係り、特に低コストで機能を拡張することができるよう供給元コンピュータより送信されたメニューデータから選択項目を容易に選択できる携帯電話機に関する。
【背景技術】
【０００２】
携帯電話機は、送話・受話といった電話機としての基本機能の他に、電話帳機能や、自動発呼機能等の付加機能が備えられているものが多い。従来の携帯電話機では、ＣＰＵが、予め装置内部のメモリに格納されているプログラムを読み込んで起動することにより、各機能を実現するようになっている。
【０００３】
従って、利用者は、携帯電話機を購入する際に、自分が必要とする機能を備えた携帯電話機を選択して購入するようになっていた。
【０００４】
また、従来の携帯電話機は、ノート型パソコンを接続して、電話回線を介してデータの送受信を行うこともできるようになっていた。
【発明の開示】
【発明が解決しようとする課題】
【０００５】
しかしながら、上記従来の携帯電話機では、予め携帯電話機に備えられている機能だけしか実現することができず、機能を追加したり、変更することはできず、不便であるという問題点があった。
【０００６】
また、パソコンを接続して新たなプログラムのデータを受信しようとすると、装置が大きくなって携帯性が悪くなるという問題点があった。
【０００７】
更に、構内で用いられる無線端末システム等においては、基地局から端末に対して選択的にプログラムを送信するシステムはあるが、携帯電話機に対してプログラムを送信するシステムを開局するには大規模な設備と費用がかかるという問題点があった。
【０００８】
本発明は上記実情に鑑みて為されたもので、低コストで携帯電話機の機能を容易に拡張することができるよう供給元コンピュータより送信されたメニューデータから選択項目を容易に選択できる携帯電話機を提供することを目的とする。
【課題を解決するための手段】
【０００９】
上記従来例の問題点を解決するための本発明は、供給元コンピュータから送信されるメニューデータを受信して表示する携帯電話機であって、少なくとも数字キーを備える入力部と、データを表示する表示部とを有し、前記供給元コンピュータから送信されるメニューデータを受信すると、該受信したメニューデータに基づき選択項目を前記表示部に表示し、該表示されている選択項目を前記入力部の数字キーにより選択することを特徴としている。
【発明の効果】
【００１０】
本発明によれば、供給元コンピュータから送信されるメニューデータを受信して表示する携帯電話機であって、少なくとも数字キーを備える入力部と、データを表示する表示部とを有し、供給元コンピュータから送信されるメニューデータを受信すると、該受信したメニューデータに基づき選択項目を表示部に表示し、該表示されている選択項目を入力部の数字キーにより選択するようにしているので、メニューデータから選択項目を容易に選択できる。
【発明を実施するための最良の形態】
【００１１】
本発明の実施の形態について図面を参照しながら説明する。
本発明の実施の形態に係る携帯電話機及び携帯電話システムは、電話回線に接続されたコンピュータ（制御装置）に様々なプログラムを用意しておき、携帯電話機からコンピュータに電話をかけて、プログラムを指定することにより、コンピュータから電話回線を介して携帯電話機にプログラムを送信するようにしており、低コストで、携帯電話機の機能を容易に拡張することができるようにしている。
【００１２】
また、本発明の実施の形態に係る携帯電話機は、供給元コンピュータから送信されるメニューデータを受信して表示するものであって、少なくとも数字キーを備える入力部と、データを表示する表示部とを有し、供給元コンピュータから送信されるメニューデータを受信すると、該受信したメニューデータに基づき選択項目を表示部に表示し、該表示されている選択項目を入力部の数字キーにより選択するようにしているので、メニューデータから選択項目を容易に選択できるものである。
【００１３】
まず、本発明の実施の形態に係る携帯電話機の構成について図１を用いて説明する。図１は、発明の実施の形態に係る携帯電話機（本装置）の構成ブロック図である。図１に示すように、本装置の基本的な構成は従来の携帯電話機と同様であり、アンテナを備えた送受信部（ＲＦ部）１１と、送信信号の変調／受信信号の復調及び音声とデータの分別を行う音声信号処理部（Audio Signal Processor; ASP）１２と、音声を出力する音声出力部１３と、音声を入力する音声入力部１４と、送信データの符号化及び受信データの復号化を行うＤＳＰ（Digital Signal Processor）１５と、送受信の制御及び各機能に伴う処理を行うＣＰＵ１６と、処理プログラムや受信データ等を格納するメモリ部１７と、電話番号等を入力する入力部１８と、データを表示する表示部１９とから構成されている。
【００１４】
本装置の特徴として、メモリ部１７には、予め格納されているプログラムの他に、新たな機能を実現するために、プログラム供給元のコンピュータ（供給元コンピュータ）から受信したプログラム（機能プログラム）を格納するエリアが設けられており、また、ＣＰＵ１６は、新たにメモリ部７に記憶された機能プログラムに基づいて処理を行うことができるようになっている。
【００１５】
尚、ここでは、メモリ部１７は１つとしているが、送信されたプログラムを格納する専用のメモリ部を設けても良い。また、ＣＰＵ１６も、従来と同様の処理を行うＣＰＵとは別に、新たに受信した機能プログラムに基づいて動作を行うＣＰＵを設けても構わない。
【００１６】
次に、本発明の実施の形態に係る携帯電話システムの概略構成について図２を用いて説明する。図２は、本システムの概略構成図である。図２に示すように、本システムは、図１に示した携帯電話機１と、携帯電話の通信網を含めた電話回線２と、プログラムを供給する供給元コンピュータ（制御装置）３とから構成されている。
【００１７】
更に、供給元コンピュータ３は、電話回線２に対する送受信を行う送受信部３１と、携帯電話機との交信に伴う処理を行う制御部３２と、携帯電話機の機能を拡張する複数の機能プログラムや、携帯電話機との交信を行うためのメニュー画面やメッセージ等のデータを記憶する記憶部３３等を備えている。
【００１８】
そして、供給元コンピュータ３は、電話回線２を介して携帯電話機１と交信し、携帯電話機１からの指示に従って、指定された機能プログラムを通信に適したデータに変換して、電話回線２を介して携帯電話機１に送信するものである。
【００１９】
また、本システムにおける携帯電話機１は、供給元コンピュータ３に発呼して（電話をかけて）、供給元コンピュータ３との交信を行い、供給元コンピュータ３からのメッセージに従って、所望の機能プログラムを選択指定し、供給元コンピュータ３から送信された機能プログラムを格納し、該プログラムに従って動作するものである。
【００２０】
ここで、携帯電話機１の受信時の動作について図１及び図２を用いて具体的に説明すると、携帯電話機１の送受信部１１において信号を受信すると、受信信号は音声信号処理部１２に送出され、音声信号処理部１２において復調されて、音声とデータとに分離され、音声は、音声出力部１３から出力される。
【００２１】
また、供給元コンピュータ３から送られたプログラムのデータは、音声信号処理部１２からＤＳＰ１５に送出され、ＤＳＰ１５において誤り訂正、復号化が行われ、ＣＰＵ１６に送出され、ＣＰＵ１６によってメモリ部１７に格納されるようになっている。そして、ＣＰＵ１６は、入力部１８からの指示に従ってメモリ部１７内のプログラムを読み出して起動し、機能を実現するようになっている。
【００２２】
本システムを利用することにより、携帯電話機１は、予め格納されているプログラムの他に、別のプログラムを取り込んで動作することができ、新しい機能を付加し、機能を拡張することができるものである。例えば、株価情報受信のプログラムを受信して格納しておけば、携帯電話から、所望の銘柄の株価情報が得られ、また、天気情報受信のプログラムを格納しておけば、任意の地域の天気情報を得ることができる。
【００２３】
次に、本システムにおける携帯電話機１のＣＰＵ１６と、供給元コンピュータ３の動作について図３を用いて、実際の利用者の操作を交えて具体的に説明する。図３は、携帯電話機１と、供給元コンピュータ３の動作を示す説明図である。図３に示すように、まず、携帯電話機１のＣＰＵ１６は、入力部１８からの入力に従って供給元コンピュータ３を発呼する（１０２）。供給元コンピュータ３の制御部３２は、携帯電話機１からの電話を受けると、接続を確認し（２０２）、利用者に送信すべきプログラムを選択してもらうためのプログラムメニューを携帯電話機１に送信する（２０４）。
【００２４】
携帯電話機１のＣＰＵ１６は、受信したプログラムメニューを表示部１９に表示する（１０４）。利用者は、表示部１９に表示されたメニューを見てプログラムを選択し、入力部１８から入力を行い、ＣＰＵ１６は、入力されたプログラム指定のデータを送受信部１１から電話回線２を介して供給元コンピュータ３に送信する（１０６）。
【００２５】
そして、供給元コンピュータ３の制御部３２は、プログラム指定のデータを受信すると、指定されたプログラムを記憶部３３から読み込んで（２０６）、「現在携帯電話機に記憶されているプログラムを消去しても良いか」という消去確認メッセージを送信する（２０８）。
【００２６】
これは、携帯性を重視する携帯電話機においては、記憶容量をあまり大きくすることができないため、メモリ部１７に記憶されている機能プログラムを古いものから順に消去して、新たに受信したプログラムを書き込むようにしているためである。
【００２７】
携帯電話機１のＣＰＵ１６は、消去確認メッセージを受信すると、表示部１９に表示し、入力部１８から「ＯＫ」が入力された場合には、「ＯＫ」のデータを供給元コンピュータ３に送信する（１１０）。
【００２８】
供給元コンピュータ３の制御部３２は、「ＯＫ」のデータ受信する（２１０）と、携帯電話機１に対して処理２０６で読み込んだプログラムを送受信部３１に送出し、送受信部３１が、プログラムを適切なデータに変換して送信する（２１２）。
【００２９】
そして、携帯電話機１のＣＰＵ１６は、プログラムを受信する（１１２）と、メモリ部１７に格納し（１１４）、受信したデータに誤りがないかどうかを確認するためにチェックサムを送信し（１１６）。供給元コンピュータ３の制御部３２は、チェックサムを確認し（２１４）、誤りがなければ、終了表示のデータを送信する（２１６）。
【００３０】
携帯電話機１のＣＰＵ１６は、終了表示のデータを受信すると、表示部１９に表示し、供給元コンピュータ３との通話を終了する。これにより、携帯電話機１は、新しい機能プログラムの取り込みを完了し、いつでも機能プログラムに従って動作することができるものである。
【００３１】
次に、供給元コンピュータ３におけるプログラムの構成について図４を用いて説明する。図４は、供給元コンピュータ３におけるプログラムの構成を示す模式説明図である。図４に示すように、供給元コンピュータ３に用意されているプログラムは、ツリー状となっており、携帯電話機１からの入力に従って、順次表示画面のデータを切り替えて携帯電話機１に送出し、利用者のプログラム選択を促すようになっている。
【００３２】
具体的には、「メニュー表示」画面（のプログラム）の下に、「ゲーム」、「情報」、「時間」、「天気」等の各項目の表示画面（のプログラム）があり、「メニュー表示」においては、携帯電話機１では上記各項目が選択候補として表示される。そして、携帯電話機１からデータが入力されると、供給元コンピュータ３は、入力データに対応した表示画面のデータを携帯電話機１に送出するようになっている。
【００３３】
例えば、「メニュー表示」プログラムの起動中に携帯電話機１から「１」が入力されると、供給元コンピュータ３の制御部３２は、「ゲーム」の表示画面のデータを選択して携帯電話機１に送出する。
【００３４】
同様に、「ゲーム」の表示画面においては、携帯電話機１で、次の選択候補である「ゲームＡ」、「ゲームＢ」等が表示され、供給元コンピュータ３の制御部３２は、携帯電話機１から入力されたデータに対応したプログラムを記憶部３３から読み出して、携帯電話機１に送出するものである。
【００３５】
本発明の実施の形態に係る携帯電話機及び携帯電話システム及びその処理方法によれば、受信した機能プログラムを記憶するメモリ部１７と、受信した機能プログラムを起動するＣＰＵ１６とを備えた携帯電話機１と、携帯電話機において起動する複数の機能プログラムを蓄積し、電話回線２を介して機能プログラムを供給する供給元コンピュータ３を設けており、携帯電話機１と供給元コンピュータ３とで電話回線２を介して交信し、供給元コンピュータ３が、携帯電話機１に入力されたデータに従って、機能プログラムを特定し、特定された機能プログラムを電話回線２を介して携帯電話機１に送出し、携帯電話機１のＣＰＵ１６が、供給元コンピュータ３から機能プログラムを受信してメモリ部１７に記憶し、該機能プログラムを起動するようにしているので、携帯電話機に予め記憶されているプログラムの他に、新たに機能を付け加えることができ、携帯電話機の機能を容易に拡張することができる効果がある。
【００３６】
また、プログラム供給側の供給元コンピュータ３は、既存の電話回線２を利用してプログラムを送信するようにしているので、新たに通信設備を開設する必要はなく、また、通常は、携帯電話機側から発呼するので通信費もかからず、低コストでシステムを実現することができる効果がある。
【産業上の利用可能性】
【００３７】
本発明は、携帯電話機の機能を容易に拡張することができるよう供給元コンピュータより送信されたメニューデータから選択項目を容易に選択できる携帯電話機に好適である。
【図面の簡単な説明】
【００３８】
【図１】本発明の実施の形態に係る携帯電話機（本装置）の構成ブロック図である。
【図２】本システムの概略構成図である。
【図３】携帯電話機１と、供給元コンピュータ３の動作を示す説明図である。
【図４】供給元コンピュータ３におけるプログラムの構成を示す模式説明図である。
【符号の説明】
【００３９】
１…携帯電話機、  ２…電話回線、  ３…供給元コンピュータ、  １１…送受信部、  １２…音声信号処理部、  １３…音声出力部、  １４…音声入力部、  １５…ＤＳＰ、  １６…ＣＰＵ、  １７…メモリ部、  １８…入力部、  １９…表示部、  ３１…送受信部、  ３２…制御部、  ３３…記憶部
【図１】
2004297815.tif 000003
【図２】
2004297815.tif 000004
【図３】
2004297815.tif 000005
【図４】
2004297815.tif 000006